(57)【要約】【課題】ユーザによる操作に依らずに音声を出力する手段を切り替える電子機器を提供する。【解決手段】接する物を振動させることにより音声を出力するエキサイタと、音声を出力するスピーカーと、エキサイタを格納する筐体と、エキサイタが筐体に格納されているのかどうかを確認する格納状態確認手段と、格納状態確認手段によりエキサイタが筐体に格納されていないと確認されたときは、エキサイタにより音声を出力し、格納状態確認手段によりエキサイタが筐体に格納されていると確認されたときは、スピーカーにより音声を出力する音出力切替手段を有する。【選択図】図２
2011071691.tif 000002
【特許請求の範囲】
【請求項１】
接する物を振動させることにより音声を出力するエキサイタと、
音声を出力するスピーカーと、
前記エキサイタを格納する筐体と、
前記エキサイタが前記筐体に格納されているのかどうかを確認する格納状態確認手段と、
前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記スピーカーにより音声を出力する音出力切替手段を有することを特徴とする電子機器。
【請求項２】
接する物を振動させることにより音声を出力するエキサイタと、
前記エキサイタを格納する筐体と、
前記筐体内に設置された振動板と、
前記エキサイタが前記筐体に格納されているのかどうかを確認する格納状態確認手段と、
前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記エキサイタにより前記振動板を振動させることで音声を出力する音出力切替手段を有することを特徴とする電子機器。
【請求項３】
音声を出力するスピーカーと、
音声を出力する方法として、前記エキサイタにより前記振動板を振動させることで音声を出力する方法と、前記スピーカーにより音声を出力する方法と、のどちらかを選択する音出力選択手段と、を有し、
前記音出力切替手段は、前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記音出力選択手段により選択された方法により音声を出力することを特徴とする請求項２に記載の電子機器。
【請求項４】
前記エキサイタは、前記筐体に格納されていないときは、前記筐体の下部にある物を振動することにより音声を出力することを特徴とする請求項１から３のいずれか１項に記載の電子機器。
【請求項５】
前記筐体の下部にある物は、机であることを特徴とする請求項４のいずれか１項に記載の電子機器。
【請求項６】
前記筐体の下部にある物は、テーブルであることを特徴とする請求項４のいずれか１項に記載の電子機器。
【請求項７】
前記格納状態確認手段は、光学センサを備えており、当該光学センサにより前記エキサイタが前記筐体に格納されているのかどうかを確認することを特徴とする請求項１から６のいずれか１項に記載の電子機器。
【請求項８】
前記格納状態確認手段は、スイッチを備えており、当該スイッチにより前記エキサイタが前記筐体に格納されているのかどうかを確認することを特徴とする請求項１から６のいずれか１項に記載の電子機器。
【発明の詳細な説明】
【技術分野】
【０００１】
本発明は、エキサイタを使用する電子機器に関する。
【背景技術】
【０００２】
ノートＰＣ、特にモバイルＰＣでは、スピーカーのために装置内部に十分なスペースを確保することができず、小型で低出力のスピーカーが内蔵されていた。このため、この内蔵スピーカーでは十分な音量を得ることが困難であった。
【０００３】
小型であり、大音量を出力可能な装置として、エキサイタが知られている。エキサイタは接触した板など振動させることにより音を発生させる。このため、エキサイト自体の大きさは小さいが、振動させる板などの大きさを大きくすることにより、大音量を出力することが可能である。
【０００４】
例えば、液晶パネルの前面に透明の振動板を装着させ、この振動板をエキサイタにより振動させ、音を発生させる、SoundVu（登録商標）と呼ばれる技術が実用化されている。また、例えば、特許文献１では、携帯型映像音声再生装置にエキサイタを取り付け、このエキサイタにより平板などを振動させることにより大音量を得る方法が開示されている。
【先行技術文献】
【特許文献】
【０００５】
【特許文献１】特開２００６−２５３７３５号公報
【発明の概要】
【発明が解決しようとする課題】
【０００６】
しかしながら、SoundVu（登録商標）を搭載した機器は、常にエキサイタを使用して音声を出力するものであり、利用環境に応じて、スピーカーを切り替えることは考慮していない。また、特許文献１において開示された方法では、内蔵スピーカーとエキサイタとの切り替えはユーザによる操作により行われる。
【０００７】
また、SoundVu（登録商標）を搭載した機器では、SoundVu（登録商標）を搭載する分だけディスプレイが厚くなってしまう。これは、ディスプレイの薄型化に向かっている現在の傾向に合致していない。また、SoundVu（登録商標）とタッチパネルの両方をディスプレイに搭載することはできない。これも、ディスプレイのタッチパネル化に進んでいる現在の傾向に合致していない。
【０００８】
そこで本発明は、上記問題点に鑑みてなされたもので、ユーザによる操作に依らずに音声を出力する手段を切り替える電子機器を提供することを目的とする。
【課題を解決するための手段】
【０００９】
上記課題を解決するため、本発明における電子機器は、接する物を振動させることにより音声を出力するエキサイタと、音声を出力するスピーカーと、前記エキサイタを格納する筐体と、前記エキサイタが前記筐体に格納されているのかどうかを確認する格納状態確認手段と、前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記スピーカーにより音声を出力する音出力切替手段を有することを特徴とする。
【００１０】
また、本発明における電子機器は、接する物を振動させることにより音声を出力するエキサイタと、前記エキサイタを格納する筐体と、前記筐体内に設置された振動板と、前記エキサイタが前記筐体に格納されているのかどうかを確認する格納状態確認手段と、前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記エキサイタにより前記振動板を振動させることで音声を出力する音出力切替手段を有することを特徴とする。
【発明の効果】
【００１１】
本発明により、ユーザによる操作に依らずに音声を出力する手段を切り替えることができる。
【図面の簡単な説明】
【００１２】
【図１】本発明の実施形態に係る電子機器の斜視図である。
【図２】本発明の実施形態に係る電子機器を横から見た図である。
【図３】本発明の実施形態に係る電子機器を下から見た図である。
【図４】本発明の実施形態に係る電子機器を横から見た図である。
【図５】本発明の実施形態に係る電子機器を下から見た図である。
【図６】本発明の実施形態に係る電子機器の構成を示すである。
【図７】本発明の実施形態に係る電子機器を下から見た図である。
【発明を実施するための形態】
【００１３】
次に、本発明を実施するための形態について図面を参照して詳細に説明する。
【００１４】
図１は、本発明の実施形態に係る電子機器の斜視図である。図２は、本発明の実施形態に係る電子機器を図１に示したＡの方向から、つまり、電子機器を横から見た図である。また、図３は、本発明の実施形態に係る電子機器を図１に示したＢの方向から、つまり、電子機器を下から見た図である。
【００１５】
電子機器の筐体１に可動脚２が取り付けらており、この可動脚２の下部にエキサイタ３が取り付けられている。この可動脚２は、電子機器の筐体１に回転可能であるように取り付けられており、この可動脚２を回転することにより、可動脚２とエキサイタ３は、図４、５に示すように、電子機器の筐体１に格納される。
【００１６】
ここで、図４は、エキサイタ格納時に、本発明の実施形態に係る電子機器を図１に示したＡの方向から、つまり、電子機器を横から見た図であり、図５は、本発明の実施形態に係る電子機器を図１に示したＢの方向から、つまり、電子機器を下から見た図である。
【００１７】
図２〜５に示すように、電子機器の筐体１には、ストッパー４が取り付けられている。図２、３に示すように、エキサイタ３が取り出された状態では、ストッパー４を可動脚２に設けられた横穴に差し込むことにより、可動脚２を固定することが可能になる。また、図５に示すように、可動脚２とエキサイタ３が電子機器の筐体１に格納された状態では、ストッパー４を可動脚２に設けられた別の横穴に差し込むことにより、可動脚２が格納された状態を保てるように固定する。
【００１８】
図２に示したように、エキサイタ３が電子機器の筐体１から取り出され、ストッパー４で固定された状態のとき、エキサイタ３は、電子機器本体の重量により、電子機器の下部にある物に押し付けられた状態にある。エキサイタ３は、この電子機器の下部にある物を振動させることにより音を発生させる。
【００１９】
このようにすることにより、大音量を出力するスピーカーを内蔵することができない電子機器であっても、エキサイタ３により電子機器の下部の物を振動させ、大音量を発生させることが可能になる。
【００２０】
エキサイタ３により振動される物は、大面積であるほど、大音量、高音質になる。また、振動される物は、極端に厚みが大きくないものであるほうが音量、音質の面で優れたものになる。また、振動される物の材質としては、木材やプラスティックなどの硬めで弾性のあるものが適している。
【００２１】
通常、ノートＰＣなどは、机やテーブルの上に置かれ、操作が行われる。机やテーブルの材質は、木材やプラスティックなどであることが多く、極端に厚みが大きくないため、机やテーブルは、エキサイタ３により振動する物として適している。
【００２２】
よって、ノートＰＣなどは、大音量を得るためにエキサイタ３を搭載するのに適している。大音量を出力するスピーカーを内蔵することができないノートＰＣであっても、エキサイタ３を搭載することにより大音量を得ることが可能になる。
【００２３】
また、エキサイタ３を使用する際、図２に示すように、エキサイタ３は、電子機器の重みにより、電子機器の下部の物に押さえ付けられる。このことにより、エキサイタ３は、より音声を発生しやくなる。
【００２４】
また、エキサイタ３を使用する際、図２に示すように、ノートＰＣのキーボード部分には傾斜ができる。このため、キーボードの入力が行いやすくなる。
【００２５】
図６は、本発明の実施形態に係る電子機器の構成を示す図である。この電子機器は、エキサイタ３と内蔵スピーカー５と格納状態確認手段６と音出力切替手段７とを備える。
【００２６】
エキサイタ３は、物を振動させることにより音を発生するため、電子機器の筐体１に格納された状態では、音を発生させることができない。そこで、本発明の実施形態に係る電子機器は、内蔵スピーカー５を搭載するようにする。
【００２７】
そして、図２に示すように、エキサイタ３が電子機器の筐体１から取り出された状態のときは、エキサイタ３により音を出力するようにし、図４に示すように、エキサイタ３が電子機器１に格納された状態のときは、内蔵スピーカー５から音を出力するようにする。
【００２８】
また、自動的に、音の出力する方法を切り替えるために、電子機器３は、図６に示すように、エキサイタ３が格納された状態であるのかないのかを確認する格納状態確認手段６と、格納状態確認手段６により確認された状態により音を出力する方法を切り替える音出力切替手段７と、を備えるようにする。
【００２９】
音出力切替手段７は、格納状態確認手段６によりエキサイタ３が格納されていないと確認されたときは、エキサイタ３から音を出力するようにし、格納確認状態手段６によりエキサイタ３が格納されていると確認されたときは、内蔵スピーカー５から音を出力するようにする。
【００３０】
このようにすることにより、エキサイタ３の格納状態に応じて、自動的に音の出力方法が切り替わるようになる。
【００３１】
格納状態確認手段６としては、いろいろと考えられるが、例えば、電子機器が、エキサイタ３の格納状態を検知する光学センサを備えるようにしても良い。また、エキサイタ３が格納された状態では押された状態になるスイッチを備えるようにしても良い。例えば、エキサイタ３が格納された状態では、スイッチが押された状態になり、エキサイタ３がとりだされた状態では、スイッチが開放された状態になるように、電子機器にスイッチを設置するようにすることにより、エキサイタ３の格納状態を確認できるようになる。
【００３２】
本発明の実施形態に係る電子機器として、図７に示すように、エキサイタ３を電子機器の筐体１に格納した状態でも、エキサイタ３の前面に振動板８を配置し、エキサイタ３がこの振動板８に接触するようにしても良い。このようにすることにより、エキサイタ３は、電子機器の筐体１に格納されているときは、この振動板８を振動させることにより音を発生できることになる。
【００３３】
また、このようにすることにより、電気機器は内蔵スピーカー５を備えなくても良くなる。また、音の出力は、エキサイタ３だけで行うことになるため、音出力切替手段も備える必要はない。エキサイタ３が格納された状態では、電子機器の筐体１の中に設置された振動板を振動させることになるため、大音量は出力できなくなるが、内蔵スピーカー５の代用としては使用できる。
【００３４】
また、電子機器の筐体１の中に振動板８を設置する場合においても、電子機器が内蔵スピーカー５を備えるようにしても良い。そして、エキサイタ３を電子機器の筐体１に格納した状態において、ユーザにより、内蔵スピーカー５から音を出力する方法と、エキサイタ３と振動板を使用して音を出力する方法と、を選択できる音出力選択手段を、電子機器が備えるようにしても良い。
【００３５】
このとき、音出力切替手段７は、格納状態確認手段６によりエキサイタ３が格納されていると確認されたときは、この音出力選択手段により選択された方法により音を出力するようにするようにすると良い。
【００３６】
例えば、上述した実施形態における処理動作は、ハードウェア、または、ソフトウェア、あるいは、両者の複合構成によって実行することも可能である。
【００３７】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００３８】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００３９】
このようなリムーバブル記録媒体は、いわゆるパッケージソフトウェアとして提供することが可能である。
【００４０】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００４１】
また、上記実施形態で説明した処理動作に従って時系列的に実行されるのみならず、処理を実行する装置の処理能力、あるいは、必要に応じて並列的にあるいは個別に実行するように構築することも可能である。
【００４２】
また、上記実施形態で説明したシステムは、複数の装置の論理的集合構成にしたり、各装置の機能を混在させたりするように構築することも可能である。
【００４３】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４４】
また、本発明における電子機器は、音声を出力するスピーカーと、音声を出力する方法として、前記エキサイタにより前記振動板を振動させることで音声を出力する方法と、前記スピーカーにより音声を出力する方法と、のどちらかを選択する音出力選択手段と、を有し、前記音出力切替手段は、前記格納状態確認手段により前記エキサイタが前記筐体に格納されていないと確認されたときは、前記エキサイタにより音声を出力し、前記格納状態確認手段により前記エキサイタが前記筐体に格納されていると確認されたときは、前記音出力選択手段により選択された方法により音声を出力するようにしても良い。
【００４５】
また、本発明における電子機器は、前記エキサイタは、前記筐体に格納されていないときは、前記筐体の下部にある物を振動することにより音声を出力するようにしても良い。
【００４６】
また、本発明における電子機器は、前記筐体の下部にある物は、机であるようにしても良い。
【００４７】
また、本発明における電子機器は、前記筐体の下部にある物は、テーブルであるようにしても良い。
【００４８】
また、本発明における電子機器は、前記格納状態確認手段は、光学センサを備えており、当該光学センサにより前記エキサイタが前記筐体に格納されているのかどうかを確認するようにしても良い。
【００４９】
また、本発明における電子機器は、前記格納状態確認手段は、スイッチを備えており、当該スイッチにより前記エキサイタが前記筐体に格納されているのかどうかを確認するようにしても良い。
【符号の説明】
【００５０】
１    電子機器の筐体
２    可動脚
３    エキサイタ
４    ストッパー
５    内蔵スピーカー
６    格納状態確認手段
７    音出力切替手段
８    振動板
【図１】
2011071691.tif 000003
【図２】
2011071691.tif 000004
【図３】
2011071691.tif 000005
【図４】
2011071691.tif 000006
【図５】
2011071691.tif 000007
【図６】
2011071691.tif 000008
【図７】
2011071691.tif 000009